(57)【要約】【課題】  受光面に光源からの照明光が直接入射することを防止し液晶表示装置からの反射光が入射するように配置されたフォトセンサにより検出した反射光量に基づいてフリッカが最小となるように液晶表示装置を調整する装置を提供する。【解決手段】  フォトセンサの受光面が光源より液晶表示装置に接近されているので、受光面に光源からの照明光が直接入射することが防止され液晶パネルからの反射光が入射する。このフォトセンサにより検出された反射光量に基づいてフリッカが最小となるように液晶表示装置の共通電極の電位が調整される。これにより、簡単な構成で光源から照明光がフォトセンサの受光面に直接入射するのを遮断し、液晶表示装置の透光状態の画素の電極により反射された反射光量の変化を高感度に検出して、フリッカが最小となるように液晶表示装置の共通電極の電位を正確に調整することができる。【選択図】  図１
2006195351.tif 000002
【特許請求の範囲】
【請求項１】
液晶表示装置に照明光を液晶パネルの前面から照射する光源と、受光面に前記照明光が直接入射することを防止し前記液晶パネルからの反射光が入射するように前記光源より前記液晶パネルに近い位置で前記液晶パネル前面に対向して配置されたフォトセンサと、該フォトセンサにより検出された反射光量に基づいてフリッカが最小となるように前記液晶表示装置の共通電極の電位を調整する手段とを設けたことを特徴とする液晶表示装置用調整装置。
【請求項２】
液晶表示装置に照明光を液晶パネルの前面から照射する光源と、受光面に前記液晶パネルからの反射光が入射するように前記液晶パネル前面に対向して配置されたフォトセンサと、前記光源からの照明光が前記受光面に直接入射しないように、前記光源と前記受光面との間に配置された遮光体と、前記フォトセンサにより検出された反射光量に基づいてフリッカが最小となるように前記液晶表示装置の共通電極の電位を調整する手段とを設けたことを特徴とする液晶表示装置用調整装置。
【請求項３】
請求項１または２において、前記光源が、前記フォトセンサの周囲に配置された導光体と、該導光体を発光させる発光体であって光量が電流により制御される発光体とによって構成されたことを特徴とする液晶表示装置用調整装置。
【請求項４】
請求項１乃至３のいずれか１項において、前記光源および前記フォトセンサが遮光部材で形成されたカバーの天井に取付けられたことを特徴とする液晶表示装置用調整装置。
【発明の詳細な説明】
【技術分野】
【０００１】
本発明は、マトリックス状に画素が配置された液晶表示装置のフリッカを最小に調整する装置に関するものである。
【背景技術】
【０００２】
反射型の液晶パネルに対して、パネル前面から光を照射し、各画素の反射光の強度に基づいて表示される画像の良否を検査する液晶ディスプレイパネル検査装置が特許文献１に記載されている。この検査装置では、導光板１１と、反射板１３付きの蛍光灯１２とかなるパネル型照明器１０が検査用の液晶パネル２０の上部に配置される。導光板１１の液晶パネル２０から離間した面には断面が楔状の複数の溝部１４ａ，１４ｂ・・・１４ｎが、蛍光灯１２と平行となるように形成されている。
【０００３】
液晶パネル２０の表示状態を検査するとき、液晶パネル２０をパネル型照明器１０で照射した状態で駆動回路に駆動信号を与え、液晶パネル２０にテスト画像を表示させて検査員がテスト画像を観察している。このとき、蛍光灯１２からの光束は、導光板１１に入射され、各溝部１４の反射面１５に入射した光束は、略９０度屈曲されて液晶パネル２０の各画素に入射する。光を透過させる状態の各画素を通過した光束は下側電極２６で反射し、再び各画素を通過して導光板１１に入射し、入射角が臨界角より小さい反射面１５を通過してパネル型照明器１０の上面から外方に射出され、画像が検査員により観察される。
【特許文献１】特開２０００−２４９９９８号公報（第３頁、図１）
【発明の開示】
【発明が解決しようとする課題】
【０００４】
特許文献１に記載された液晶ディスプレイパネル検査装置では、パネル型照明器１０の上面から外方に出力される画像を作業員が目視で観察して良否を判定するので、製品にばらつきが生じるとともに、作業員の目が疲労する問題が合った。また、テスト画像導光板１１に複数の溝を正確に形成しなければならないので装置が高価なる不具合があった。
【０００５】
本発明はかかる不具合を解消するためになされたもので、受光面に光源からの照明光が直接入射することを防止し液晶表示装置からの反射光が入射するように配置されたフォトセンサにより検出した反射光量に基づいてフリッカが最小となるように液晶表示装置を調整する装置を提供することである。
【課題を解決するための手段】
【０００６】
上記の課題を解決するため、請求項１に記載の発明の構成上の特徴は、液晶表示装置に照明光を液晶パネルの前面から照射する光源と、受光面に前記照明光が直接入射することを防止し前記液晶パネルからの反射光が入射するように前記光源より前記液晶パネルに近い位置で前記液晶パネル前面に対向して配置されたフォトセンサと、該フォトセンサにより検出された反射光量に基づいてフリッカが最小となるように前記液晶表示装置の共通電極の電位を調整する手段とを設けたことである。
【０００７】
請求項２に記載の発明の構成上の特徴は、液晶表示装置に照明光を液晶パネルの前面から照射する光源と、受光面に前記液晶パネルからの反射光が入射するように前記液晶パネル前面に対向して配置されたフォトセンサと、前記光源からの照明光が前記受光面に直接入射しないように、前記光源と前記受光面との間に配置された遮光体と、前記フォトセンサにより検出された反射光量に基づいてフリッカが最小となるように前記液晶表示装置の共通電極の電位を調整する手段とを設けたことである。
【０００８】
請求項３に記載の発明の構成上の特徴は、請求項１または２において、前記光源が、前記フォトセンサの周囲に配置された導光体と、該導光体を発光させる発光体であって光量が電流により制御される発光体とによって構成されたことである。
【０００９】
請求項４に記載の発明の構成上の特徴は、請求項１乃至３のいずれか１項において、前記光源および前記フォトセンサが遮光部材で形成されたカバーの天井に取付けられたことである。
【発明の効果】
【００１０】
上記のように構成した請求項１に係る発明においては、フォトセンサの受光面が光源より液晶表示装置に接近されているので、受光面に光源からの照明光が直接入射することが防止され液晶パネルからの反射光が入射する。このフォトセンサにより検出された反射光量に基づいてフリッカが最小となるように液晶表示装置の共通電極の電位が調整される。これにより、簡単な構成で光源から照明光がフォトセンサの受光面に直接入射するのを遮断し、液晶表示装置の透光状態の画素の電極により反射された反射光量の変化を高感度に検出して、フリッカが最小となるように液晶表示装置の共通電極の電位を正確に調整することができる。
【００１１】
上記のように構成した請求項２に係る発明においては、光源とフォトセンサの受光面との間に遮光体が配置されているので、受光面に光源からの照明光が直接入射することが防止され液晶表示装置の液晶パネルからの反射光が入射する。このフォトセンサにより検出された反射光量に基づいてフリッカが最小となるように液晶表示装置の共通電極の電位が調整される。これにより、簡単な構成で光源からフォトセンサの受光面に直接入射する照明光を確実に遮断し、液晶表示装置の透光状態の画素の電極により反射された反射光量の変化を高感度に検出して、フリッカが最小となるように液晶表示装置の共通電極の電位を正確に調整することができる。
【００１２】
上記のように構成した請求項３に係る発明においては、フォトセンサの周囲に配置された導光体は、発光ダイオード、ＬＥＤ、白熱ランプ、ハロゲンランプ等の発光体であって光量が電流制御など光源の波長をかえることなく光のチラツキのない方法で制御される発光体からの光により発光されるので、液晶パネルからの反射光がフォトセンサの受光面に周囲から入射する。これにより、反射光にムラがなくなり、反射光量の変化を高精度に検出して、フリッカが最小となるように液晶表示装置の共通電極の電位を正確に調整することができる。
【００１３】
上記のように構成した請求項４に係る発明においては、光源およびフォトセンサが遮光部材で形成されたカバーの天井に取付けられ、このカバーにより液晶パネル前面を覆った状態で、液晶パネル前面に照明光を照射するので、液晶パネルからの反射光を外部からの光を遮断した状態でフォトセンサの受光面に入射させることができて、反射光の変化を高感度に検出することができる。
【発明を実施するための最良の形態】
【００１４】
以下、図面に基づいて本発明に係る液晶表示装置用調整装置の実施の形態について説明する。この調整装置により共通電極の電位を調整される液晶表示装置１０は、図１，２に示すように、ガラス基板１１と、ガラス基板１１の中央に設けられた液晶パネル１２と、ガラス基板１１の縁部に圧着された駆動ＩＣチップ１３およびＦＰＣ（Flexible Printed Circuit）１４等から構成されている。ＦＰＣ１４は透明または半透明のフレキシブル基板に電子回路が形成されたもので、その不透明電極部は、ＡＣＦ（Anisotropic Conductive Film）テープ等の異方性導電膜を介在してガラス基板１１の透明電極部に圧着されている。
【００１５】
液晶パネル１２は、例えば図３に示すように上側および下側ガラス基板１１ａ，１１ｂ間に配向膜を介して液晶１５が充填され、上側ガラス基板１１ａの下面にカラーフィルタ１６を介在して複数の透明Ｙ電極１７が縦方向に設けられ、下側ガラス基板１１ｂの上面に複数のＸ電極１８が横方向に設けられ、液晶１５がマトリックス状に複数の画素に分割されている。上側および下側ガラス基板１１ａ，１１ｂの上下面には偏光フィルタ１９ａ，１９ｂが設けられている。Ｘ電極１８には、図４に示すように各画素４５に対応して反射部４６と透過部４７とが設けられており、反射部４６はアルミ電極で構成されている。各Ｙ電極および各Ｘ電極１７，１８は、駆動ＩＣチップ１３に接続され、駆動ＩＣチップ１３はＦＰＣ１４に接続されている。駆動ＩＣチップ１３の作動により液晶パネル１２のＸ電極は順次共通電極に接続され、Ｙ電極１７には１フレーム毎に正負の制御電圧が順次印加され、共通電極に接続されたＸ電極と、電圧が印加されたＹ電極１７とが交差する画素が透光状態となる。これにより、液晶パネル１２が前面、即ち上側ガラス基板１１ａ側から光源により照射されると、照明光は、透光状態の画素ではＸ電極の反射部で反射されて液晶パネル１２の前面から射出される。また、液晶パネル１２が背面、即ち下側ガラス基板１１ｂ側からバックライトにより照射されると、照明光は、透光状態の画素ではＸ電極の透過部を通過して液晶パネル１２の前面から射出する。
【００１６】
液晶表示装置用調整装置２０は、バックライトを取付ける前の状態の液晶表示装置１０の液晶パネル１２前面に照明光を照射する光源２１と、液晶パネル１２からの反射光が入射するフォトセンサ２２と、フォトセンサ２２により検出された反射光量に基づいてフリッカが最小となるように液晶表示装置１０の共通電極の電位を調整する電位調整部２３を備えた本体部２９が設けられている。なお、バックライトを取付けた状態の液晶表示装置１０において、バックライトを点灯することなく、液晶パネル１２前面に照明光を光源２１により照射し、フォトセンサ２２により検出された液晶パネル１２からの反射光量に基づいてフリッカが最小となるように液晶表示装置１０の共通電極を調整してもよい。
【００１７】
液晶表示装置用調整装置２０の冶具部２４には、液晶表示装置１０のＦＰＣ１４の電極に当接されて電気的に接続される電極を備えたＦＰＣ２５が設けられている。液晶表示装置１０は、ＦＰＣ１４，１６の電極が当接するように冶具部２４に位置決め載置され、ＦＰＣ２５がクランプ装置２６によりＦＰＣ１４に弾機的に押圧されることによって電位調整部２３に接続される。電位調整部２３と冶具部２４とはケーブル２７により電気的に接続されている。
【００１８】
液晶表示装置１０の共通電極の電位を調整するとき、冶具部２４に取り付けられた液晶表示装置１０の液晶パネル１２前面に照明光を照射するために、天井に光源２１およびフォトセンサ２２が取り付けられた箱状のカバー２８が、液晶パネル１２前面を覆うように液晶表示装置１０に被せられる。カバー２８は、箱状の内部に外部から光が入らないように黒色の遮光部材で形成されている。光源２１としては、フォトセンサ２２の感度がよい波長の光を発する白色ＬＥＤを用いるのが好ましい。フォトセンサ２２は、光源２１からの照明光が受光面に直接入射することを防止し液晶パネル１２からの反射光が入射するように、受光面が光源２１より液晶パネル１２に近くなる位置にカバー２８の天井に取り付けられている。
【００１９】
電位調整部２３は、液晶パネル１２にフリッカの検出に適した映像を表示させるために、かかる映像信号を発生して液晶表示装置１０の駆動ＩＣチップ１３に送出する映像信号発生部３０、フォトセンサ２２からの検出信号を処理してフリッカの大きさに応じた信号を出力する信号出力部３１、液晶表示装置１０の共通電極に印加する共通電位を連続的に変化させるように駆動ＩＣチップ１３に指令する指令部３２、および指令部３２が駆動ＩＣチップ１３に指令した共通電位と、そのとき信号出力部３１から出力された信号とに基づいてフリッカが最小となったときの共通電位を駆動ＩＣチップ１３にセットする電位設定部３３等を備えている。指令部３２は、マウス５３からスクロール５４の回転信号が入力される度に、液晶表示装置１０の共通電極に印加する共通電位を連続的に変化させるように駆動ＩＣチップ１３に指令する。
【００２０】
次に、上記実施の形態に係る液晶表示装置用調整装置２０の作動について説明する。共通電極の電位を調整される液晶表示装置１０が、冶具部２４に位置決め載置され、ＦＰＣ２５がクランプ装置２６によりＦＰＣ１４に圧接され、液晶表示装置１０が本体部２９に接続される。マウス５３の左ボタン５５が長く押されると、指令部３２は液晶表示装置１０の電源スイッチをオンさせる。カバー２８が、液晶パネル１２前面を覆うように液晶表示装置１０に被せられる。マウス５３の左ボタン５５がクリック（左クリック）されると、指令部３２は電位調整部２３を作動させるとともに、光源２１を発光させ、液晶パネル１２前面を照明光により照射させる。このとき、フォトセンサ２２は受光面が光源２１より液晶パネル１２に近い位置で液晶パネル１２前面に対向して配置されているので、光源２１からの照明光がフォトセンサ２２の受光面に直接入射することを防止することができる。そして、カバー２８により液晶パネル１２前面が覆れた状態で、液晶パネル１２前面に照明光が照射されるので、液晶パネル１２からの反射光は外部からの光を遮断した状態でフォトセンサ２２の受光面に入射され、反射光の変化を高感度に検出することができる。
【００２１】
指令部３２は映像信号発生部３０に映像信号発生指令を送出し、映像信号発生部３０はフリッカの検出に適した映像の映像信号を発生して液晶表示装置１０の駆動ＩＣチップ１３にＦＰＣ２５，１４を介して送出する。駆動ＩＣチップ１３は、映像信号に応じて液晶パネル１２のＸ電極１８を共通電極に１フレーム周期で順次接続し、Ｙ電極１７に制御電圧を１水平周期で順次印加することにより、映像を液晶パネル１２に表示させる。このとき、共通電極に接続されたＸ電極１８と、電圧が印加されたＹ電極１７とが交差する画素では透光状態となり、液晶パネル１２に入射された照明光がＸ電極１８の反射部で反射されて明るくなり、電圧が印加されないＹ電極１７に対応する画素では照明光がＸ電極１８の反射部に到達せず反射されないので黒くなる。そして、Ｙ電極１７に印加される制御電圧は、１フレーム毎に正負交互に変わる交流電圧であるので、正負の制御電圧が異なると、１フレーム毎に画面の明るさが相異してフリッカが生じる。このフリッカは、Ｘ電極１８が順次接続される共通電極の共通電位を調整することにより小さくすることができる。
【００２２】
指令部３２にマウス５３からスクロール５４の回転信号が入力される度に、指令部３２は信号を駆動ＩＣチップ１３の共通電位設定端子に入力し、駆動ＩＣチップ１３の共通電位が信号の入力毎に変位される。１フレーム周期は、指令部３２から入力される信号の間隔より十分小さいので、各信号が入力されたときの各共通電位におけるフリッカの大きさを検出することができる。
【００２３】
信号出力部３１は、フォトセンサ２２から出力される液晶パネル１２からの反射光量に応じた検出電流を電流・電圧変換回路により電圧に変換する。フリッカのある映像をフォトセンサ２２で検出した場合、電流・電圧変換回路の出力は、図５（ａ）に示すようにフリッカに応じて微弱に変化する検出電圧３５となる。検出電圧３５は、交流再生回路により直流成分が除去されて図５（ｂ）に示す波形電圧３６となり、増幅回路により図５（ｃ）の増幅波形電圧３７のように増幅される。信号出力部３１は、増幅波形電圧３７について１フレーム周期毎の最大ピーク値と最小ピーク値（Peak to Peak）の差分値をピーク値ホールド回路により検出し、この差分値をフリッカの大きさに応じた信号として出力する。電位設定部３３では、１フレーム周期毎の差分値を順次記憶し、マウス５３から連続して送出された各信号によって駆動ＩＣチップ１３に設定された各共通電位における１フレーム周期毎の差分値を比較し、差分値が最小となったときの共通電圧を駆動ＩＣチップ１３の共通電位設定部に設定する。
【００２４】
上記実施の形態では、光源２１からの照明光がフォトセンサ２２の受光面に直接入射しないようにするために、フォトセンサ２２を光源２１より液晶パネル１２に近い位置で液晶パネル１２前面に対向して配置しているが、図６に示すように光源２１とフォトセンサ２２の受光面との間に遮光体４８を配置してもよい。
【００２５】
図７に示すように、フォトセンサ２２の周囲に環状の導光体４０を配置し、導光体４０に発光ダイオード４１が発する光を外周面の複数個所、例えば、直径方向に離れた２箇所から導入して導光体４０を発光させることにより光源２１を構成してもよい。これによれば、フォトセンサ２２の周囲に配置された導光体４０を発光ダイオード４１からの光により発光させるので、液晶パネル１２からの反射光がフォトセンサ２２の受光面に周囲から入射して、反射光にムラがなくなり、反射光量の変化を高精度に検出することができる。導光体４０を発光させる発光体は、発光ダイオード４１に限定されるものではなく、ＬＥＤ、白熱ランプ、ハロゲンランプなど、光量が電流により制御される発光体であればよい。
【００２６】
次に、図８に示された液晶表示装置用検査調整装置４９について説明する。液晶表示装置用検査調整装置４９には、作業者が画面を見て輝点、黒点、ゴミ等の有無を検査するために、液晶パネル１２の全画素４５を透光状態にする画面検査部５０と、液晶パネル１２に流れる電流値を測定するための液晶電流測定部５１と、液晶パネル１２に表示される映像のRGB値を変化させ、作業者が画面を見て輝点、黒点、ゴミ等の有無を検査するためのRGB可変検査部５２とが本体部２９に電位調整部３２と並設され、指令部３２、指令部３２に接続されたマウス５３、および映像信号発生部３０を電位調整部３２と共用する。
【００２７】
検査調整作動時にマウス５３の左ボタン５５が長く押されると、指令部３２は、液晶表示装置１０の電源がオフの場合はオンさせ、オンの場合はオフさせる。指令部３２は、マウス５３が左クリックされた信号が入力される度に、画面検査部５０、電位調整部３２、液晶電流測定部５１、RGB可変検査部５２の順に作動開始指令を送出して実行される作動の種類を１つ進め、右ボタン５５がクリック（右クリック）される度に、逆順に作動開始指令を送出して実行される作動の種類を１つ戻す。指令部３２は、マウス５３からスクロール５４の回転信号またはマウス５３のＸ軸移動信号が入力される度に、電位調整部５２が作動中は液晶表示装置１０の共通電極に印加する共通電位を変化させ、RGB可変検査部５２が作動中はRGBレベルを変化させる。
【００２８】
液晶表示装置用検査調整装置４９に各種作動を行わせるプログラムのバージョンアップ時に、マウス５３のスクロール５４が回転されると、本体部１０に接続された表示部に表示された項目が選択され、左クリックされると選択項目が決定される。右クリックされると選択項目の決定がキャンセルされる。
【００２９】
次に、液晶表示装置用検査調整装置４９の作動について説明する。基本動作は、図９に示すように、液晶表示装置１０が冶具部２４に位置決め載置され、本体部２９に電気的に接続されてセットされ（ステップＳ１）、マウス５３の左ボタン５５が長く押されると、指令部３２が液晶表示装置１０の電源をオンさせる（ステップＳ２）。電源がオンされると、画面検査部５０が作動されて検査映像信号発生指令を映像信号発生部３０に送出し、映像信号発生部３０は、全画素４５を透光状態にする検査映像信号を発生して液晶表示装置１０の駆動ＩＣチップ１３にＦＰＣ２５，１４を介して送出する。作業者は液晶パネル１２の映像を見て輝点、黒点、ゴミ等の有無を検査する（ステップＳ３）。
【００３０】
マウス５３が左クリックされると（ステップＳ４）、指令部３２は電位調整部２３を作動させ、電位調整部２３は前述のように、フリッカが最小となるように液晶表示装置１０の共通電極の電位を調整する（ステップＳ５）。
【００３１】
マウス５３が左クリックされると（ステップＳ６）、指令部３２は液晶電流測定部５１を作動させ、液晶電流測定部５１はＹ電極１７とＸ電極１８との間に流れる電流を測定する（ステップＳ７）。
【００３２】
マウス５３が左クリックされると（ステップＳ８）、指令部３２はRGB可変検査部５２を作動させる。RGB可変検査部５２は、全画素４５を透光状態にし、スクロール５４の回転信号に応じてRGB値を変化させ、赤、緑、青の度合を変化させた映像を液晶パネル１２に表示させる。作業者は液晶パネル１２の映像を見て輝点、黒点、ゴミ等の有無を検査する（ステップＳ９）。マウス５３が左クリックされると（ステップＳ１０）、一連の検査調整が終了し、指令部３２は液晶表示装置１０の電源をオフさせる（ステップＳ１１）。
【００３３】
ステップＳ５まで図９と同じ作動を行い、その後、戻り動作して検査映像の液晶パネル１２への表示および液晶表示装置１０の共通電極の電位調整を再度行いたい場合は、図１０に示すようにステップＳ５が終了後、マウス５３が右クリックされる（ステップＳ１２）。マウス５３の右クリックにより各種作動の実行順序が１つ戻され、画面検査部５０が再作動されて検査映像信号が液晶表示装置１０に送出される。作業者は液晶パネル１２の映像を見て輝点、黒点、ゴミ等の有無を再検査する（ステップＳ１３）。マウス５３が左クリックされると（ステップＳ１４）、指令部３２は電位調整部２３に液晶表示装置１０の共通電極の電位を再調整させる（ステップＳ１５）。マウス５３が左クリックされると（ステップＳ１６）、指令部３２は液晶表示装置１０の電源をオフさせて作動を終了させる（ステップＳ１７）。
【００３４】
ステップＳ７まで図９と同じ作動を行い、電流測定の途中で液晶表示装置１０の電源を切る場合は、図１１に示すようにステップＳ７の電流測定中に左ボタン５５が長押しされる（ステップＳ１８）。左ボタン５５の長押しにより指令部３２は液晶表示装置１０の電源をオフさせて作動を終了させる（ステップＳ１９）。
【００３５】
図１２に示すように、液晶表示装置用検査調整装置４９に各種作動を行わせるプログラムをバージョンアップする場合、本体部２９に設けられたDIPSWをバージョンアップモードに設定し、本体部１０の電源を入れる（ステップＳ２１）。本体部１０に接続された表示部に、ファームウェアのバージョンアップか、パラメータのバージョンアップかの項目が表示されるので（ステップＳ２２）、マウス５３のスクロール５４を回転して項目を選択し（ステップＳ２３）、左クリックして項目決定する（ステップＳ２４）。決定すると表示部にバージョンアップのファイルが表示されるので（ステップＳ２５）、スクロール５４を回転してファイルを選択し（ステップＳ２６）。左クリックしてファイル決定する（ステップ２７）。これにより、バージョンアップが実行される（ステップＳ２８）。なお、選択したものをキャンセルする場合は、マウス５３を右クリックする。
【００３６】
このように、液晶表示装置用検査調整装置４９に各種作動を行わせる指令操作を、片手の掌の中でマウス５３を操作することにより行うことができるので、操作ボタン等の存在位置、操作手順等を意識することなく、各種作動を行わせることができ、作業効率が向上し、検査調整時間を短縮することができる。
【図面の簡単な説明】
【００３７】
【図１】本発明に係る液晶表示装置用調整装置の実施の形態を示す図。
【図２】液晶表示装置を示す図。
【図３】液晶パネルの断面図。
【図４】各画素のＸ電極を示す図。
【図５】フォトセンサからの出力電流を処理した各段階の信号を示す図。
【図６】光源とフォトセンサとの間に遮光体を配置した例を示す図。
【図７】発光ダイオードと導光体で構成した光源を示す図。
【図８】液晶表示装置用検査調整装置を示す図。
【図９】液晶表示装置用検査調整装置の基本動作を示す図。
【図１０】図９に示す動作において戻り動作を行う場合を示す図。
【図１１】図９に示す動作の途中で液晶表示装置１０の電源を切る場合を示す図。
【図１２】作動プログラムをバージョンアップする場合を示す図。
【符号の説明】
【００３８】
１０…液晶表示装置、１１，１１ａ，１１ｂ…ガラス基板、１２…液晶パネル、１３…駆動ＩＣチップ、１４，２５…ＦＰＣ、１５…液晶、１７…Ｙ電極、１８…Ｘ電極、２０…液晶表示装置用調整装置、２１…光源、２２…フォトセンサ、２３…電位調整部、２４…冶具部、２６…クランプ装置、２８…カバー、３０…映像信号発生部、３１…信号処理部、３２…指令部、３３…電位設定部、４０…導光体、４１…発光ダイオード、４５…画素、４６…反射部、４７…透過部、４８…遮光体、４９…液晶表示装置用検査調整装置、５０…画面検査部、５１…液晶電流測定部、５２…RGB可変検査部、５３…マウス、５４…スクロール、５５…左ボタン。
【図１】
2006195351.tif 000003
【図２】
2006195351.tif 000004
【図３】
2006195351.tif 000005
【図４】
2006195351.tif 000006
【図５】
2006195351.tif 000007
【図６】
2006195351.tif 000008
【図７】
2006195351.tif 000009
【図８】
2006195351.tif 000010
【図９】
2006195351.tif 000011
【図１０】
2006195351.tif 000012
【図１１】
2006195351.tif 000013
【図１２】
2006195351.tif 000014